(57)【特許請求の範囲】
【請求項１】
紐と、前記紐の一端に取り付けられたクリップ部と、前記紐の他端が取り付けられているドラムと、前記紐を巻き取る方向に前記ドラムを付勢するスプリングと、からなるピンオンリールに用いられるロック装置であって、前記ドラムの側面に形成された第一の円盤と、前記第一の円盤の側面に形成され、前記第一の円盤よりも直径の小さい第二の円盤と、ロック用片と、前記ロック用片を前記第一の円盤の外周面及び第二の円盤の外周面に押し付ける第一の方向及び前記第一の円盤の側面に押し付ける第二の方向に付勢するバネと、を備え、
前記第一の円盤には、前記紐が引き出される方向に前記ドラムが回転した場合に、前記ロック用片を前記第二の円盤の外周面から、前記第一の円盤の外周面に移動させる第一の溝と、前記ロック用片に引っかかり、前記紐を巻き取る方向への前記ドラムの回転をロックする第二の溝と、前記紐が引き出される方向に前記ドラムが回転した場合に、前記ロック用片を前記第二の溝から、前記第二の円盤の外周面に移動させる斜面と、が形成されていることを特徴とするロック装置。
【請求項２】
前記第二の溝及び前記斜面が前記第一の円盤に複数設けられていることを特徴とする請求項１に記載のロック装置。
【請求項３】
前記第一の溝と、前記第二の溝及び前記斜面と、が交互にそれぞれ複数個ずつ前記第一の円盤に設けられていることを特徴とする請求項１に記載のロック装置。
【請求項４】
前記斜面と前記第二の円盤との間に前記ロック用片が通過する橋部を備えたことを特徴とする請求項１乃至３の何れか一項に記載のロック装置。
【請求項５】
前記第二の溝は、前記紐が引き出される方向に対して９０度又は鈍角をなして形成されていることを特徴とする請求項１乃至４の何れか一項に記載のロック装置。
【請求項６】
請求項１乃至５の何れか一項に記載のロック装置が取り付けられているピンオンリール。
【発明の詳細な説明】
【０００１】
【発明の属する技術分野】
本願発明は、ピンオンリールに用いられるロック装置及びロック装置が取り付けられたピンオンリールに関する。
【０００２】
【従来の技術】
釣りなどの際には、ラインカッター、フックシャープナー、針外し等の頻繁に使用する道具をピンオンリールに取り付け、衣服等に吊り下げておくことが行われている。
【０００３】
従来のピンオンリールは、紐と、紐の一端に取り付けられたクリップ部と、紐の他端が取り付けられているドラムと、前記紐を巻き取る方向に前記ドラムを付勢するスプリングと、から構成されている。
【０００４】
そして、このような構成のピンオンリールは、クリップ部にラインカッター、フックシャープナー、針外し等の道具を取り付け、該道具を引っ張ることにより、ドラムに巻かれた紐が引き出され、また、該道具から手を離すと、該ドラムがスプリングにより紐を巻き取る方向に付勢されているため、引き出された紐がドラムに巻き取られるようになっていた。
【０００５】
【発明が解決しようとする課題】
従来のピンオンリールにおいては、クリップ部にラインカッター等の道具を取り付け、該道具を引っ張ることによりドラムに巻かれた紐が引き出され、また、該道具から手を離すと、該ドラムに紐が巻き取られるようにされていたため、該道具を使用する場合には、該道具から手を離すことができず、一度該道具から手を離した場合には、再度、クリップ部に取り付けられている道具を引っ張り、紐を引き出す必要があった。
【０００６】
そこで、本願発明は、紐を巻き取る方向に付勢されている前記ドラムの回転をロックするロック装置及びこのようなロック装置を有するピンオンリールを提供することを目的とする。
【０００７】
【課題を解決するための手段】
以上の課題を解決するため、本願発明は、紐と、前記紐の一端に取り付けられたクリップ部と、前記紐の他端が取り付けられているドラムと、前記紐を巻き取る方向に前記ドラムを付勢するスプリングと、からなるピンオンリールに用いられるロック装置であって、前記ドラムの側面に形成された第一の円盤と、前記第一の円盤の側面に形成され、前記第一の円盤よりも直径の小さい第二の円盤と、ロック用片と、前記ロック用片を前記第一の円盤の外周面及び第二の円盤の外周面に押し付ける第一の方向及び前記第一の円盤の側面に押し付ける第二の方向に付勢するバネと、を備え、前記第一の円盤には、前記紐が引き出される方向に前記ドラムが回転した場合に、前記ロック用片を前記第二の円盤の外周面から、前記第一の円盤の外周面に移動させる第一の溝と、前記ロック用片に引っかかり、前記紐を巻き取る方向への前記ドラムの回転をロックする第二の溝と、前記紐が引き出される方向に前記ドラムが回転した場合に、前記ロック用片を前記第二の溝から、前記第二の円盤の外周面に移動させる斜面と、が形成されていることを特徴とするロック装置を提供する。
【０００８】
上述のように、釣りなどの際に用いられるピンオンリールは、紐と紐の一端に取り付けられたクリップ部と、紐の他端が取り付けられているドラムと、前記紐を巻き取る方向に該ドラムを付勢するスプリングとから構成されていた。
【０００９】
本願発明は、このようなピンオンリールにおいて、紐を巻き取る方向に付勢されているドラムの回転をロックするロック装置及びこのようなロック装置を有するピンオンリールを提供するものである。
【００１０】
該ロック装置は、ドラムの側面に形成された第一の円盤と、該第一の円盤の他方の側面、即ち、ドラムの側面とは接触していない方の側面に形成され、該第一の円盤の直径よりも小さい直径を有する第二の円盤と、ロック用片と、該ロック用片を該第一の円盤の外周面及び第二の円盤の外周面に押し付ける第一の方向と該第一の円盤の側面に押し付ける第二の方向に付勢するバネと、から構成されている。
【００１１】
ここで、第一の円盤はドラムの側面に形成され、また、第二の円盤は該第一の円盤の側面に形成されていることから、該ドラムの回転とともに第一の円盤と第二の円盤も回転することとなる。
【００１２】
なお、形成手段としては、ドラム、第一の円盤及び第二の円盤を別個に作成し、これらを接着等してもよく、また、これらを一体成形してもよい。
【００１３】
ロック用片は、バネにより、ドラムの回転とともに回転する第一の円盤の外周面及び第二の円盤の外周面並びに第一の円盤の側面に押し付けられる関係上、これらの回転を円滑に行うことができるような大きさ、形状を有している必要がある。
【００１４】
もっとも、該ロック用片は、第一の円盤に設けられている第二の溝に引っかかり、ドラムの紐を巻き取る方向への回転をロックする関係上、該第二の溝に引っかかるような大きさ、形状である必要がある。
【００１５】
このようなロック用片の形状として、円柱状の形状が考えられ、該円柱状のロック用片の側壁が、第一の円盤及び第二の円盤の外周面に押し当てられ、また、該ロック用片の底面が第一の円盤の側面に押し当てられるように形成するのが望ましい。
【００１６】
また、円柱状のロック用片をその中心軸の周りに回転するように構成することにより、ドラムの回転を円滑に行うことができるようになる。
【００１７】
バネは、ロック用片を第一の円盤の外周面及び第二の円盤の外周面に押し付ける第一の方向と第一の円盤の側面に押し付ける第二の方向にロック用片を押し付けるように付勢している。
【００１８】
即ち、ドラムの回転軸に対して垂直方向である第一の方向と水平方向である第二の方向に付勢している。
【００１９】
このように、バネは、二方向に対して作用するため、二つのバネを組み合わせて、使用してもよく、また、バネを略垂直に折り曲げることにより、第一の方向と第二の方向に付勢するように構成することもできる。
【００２０】
第一の円盤には、紐が引き出される方向にドラムが回転した場合に、ロック用片を第二の円盤の外周面から第一の円盤の外周面に移動させる第一の溝と、ロック用片に引っかかり、紐を巻き取る方向へのドラムの回転をロックする第二の溝と、紐が引き出される方向にドラムが回転した場合に、ロック用片を第二の溝から、第二の円盤の外周面に移動させる斜面と、が形成されている。
【００２１】
第一の溝は、第一の円盤の外周面から第二の円盤の外周面に達するように設けられており、該第一の溝の壁面であって、紐が引き出される方向にドラムが回転した場合に、その回転方向に対向する位置にある壁面は、第二の円盤の外周面と連続する壁面を形成するように設けておく必要がある。
【００２２】
例えば、第二の円盤の外周面に対して、接線となるような壁面を形成することができる。
【００２３】
このような壁面を形成することにより、バネにより第二の円盤に押し付けられたロック用片が、紐を引き出す方向へのドラムの回転により、第二の溝が形成されている所に達した場合に、第一の円盤の側面に押し当てられる方向に付勢しているバネの力により、第二の円盤の外周面と連続的に形成されている第一の溝の側壁を伝って、第一の円盤の外周面に押し出されることとなる。
【００２４】
一方、紐を引き出す方向にドラムが回転した場合に、その回転方向に対向する壁面と反対の壁面、即ち、紐を巻き取る方向にドラムが回転した場合に、その回転方向に対向する壁面は、第一の円盤の外周面に押し付けられているロック用片が、該壁面を伝って、第一の円盤の側面に押し出されるような傾斜を付けておくことが望ましい。
【００２５】
このような傾斜を付けておくことにより、以下に記載するように、ロック用片を第二の溝に達するまでドラムを回転させることなく、紐を巻き取ることができるようになる。
【００２６】
また、第二の溝は、第一の円盤の外周面から第一の円盤の内部に向かって形成されている。
【００２７】
このような第二の溝が設けられていることにより、紐を引き出す方向にドラムが回転した場合には、ロック用片が第二の溝に押し込まれることとなる。
【００２８】
また、該第二の溝は、紐を巻き取る方向へのドラムの回転方向に対して、９０度又は鈍角となるように形成されている。
【００２９】
このような角度で形成するのは、第二の溝の壁面であって、紐を巻き取る方向にドラムが回転した場合に、その回転方向に対向する壁面に、ロック用片が引っかかり、紐を巻き取る方向へのドラムの回転を阻止するためである。
【００３０】
一方、第二の溝の壁面であって、紐を巻き取る方向へのドラムの回転を阻止する壁面とは反対の壁面には、紐を引き出す方向にドラムが回転した場合に、ロック用片を、該第二の溝から、第一の円盤の側面に押し出すような斜面が形成されている。
【００３１】
このようにして、第一の円盤の側面に押し出されたロック用片は、第二の円盤の外周面方向に付勢しているバネの力により、第二の円盤の外周面及び第一の円盤の側面に押し付けられることとなる。
【００３２】
そこで、また、紐を引き出す方向へのドラムの回転により、ロック用片が第一の溝が形成されている所に達した場合に、第一の溝の壁面、第一の円盤の外周面、第二の溝及び斜面を通って、再び、第二の円盤の外周面の所に戻るという繰り返しが起こる。
【００３３】
これに対して、紐を巻き取る方向にドラムを回転させた場合には、ロック用片が、第二の溝の壁面に引っかかり、該回転が阻止されることとなる。
【００３４】
なお、第二の溝の壁面であって、紐を引き出す方向への前記ドラムの回転方向に対向する壁面、即ち、斜面が形成されている側の壁面を、紐を引き出す方向へのドラムの回転方向に対して、鈍角となるように形成することにより、紐を強く引っ張り出した場合には、ロック用片が第二の溝に押し込まれずに、第一の外周面に押し付けられたまま回転し続けるようにすることもできる。
【００３５】
また、第一の円盤に設けられている斜面と第二の円盤の外周面との間に、ロック用片が通過することができる橋部を設けることにより、紐を巻き取る際に、該ロック用片が該第二の円盤の外周面に押し当てられたまま、即ち、斜面、第一の円盤の外周面及び第一の溝を通ることなく、紐を巻き取ることが可能となる。
【００３６】
第二の溝及び斜面については、第一の円盤に複数設けることができる。
【００３７】
このように、第一の円盤に、第二の溝と斜面とを複数設けることにより、一度通過した第二の溝の所にまでドラムを回転させることなく、ドラムの回転をロックすることができるようになる。
【００３８】
第一の溝、第二の溝及び斜面については、これらが交互にそれぞれ複数個ずつ、第一の円盤に設けることも可能である。
【００３９】
このように、第一の溝、第二の溝及び斜面を交互にそれぞれ複数個ずつ、第一の円盤に設けることにより、ロック用片が引っかかる第二の溝を複数設けることができ、より細かく、紐を引きだしておく長さを調節することが可能となる。
【００４０】
【発明の実施の形態】
図１は、本願発明の第一の実施形態に係るロック装置１０の上方斜視図である。図２乃至図９は、本願発明の第一の実施形態に係るロック装置１０の一連の動作を示す上方からみた平面図である。
【００４１】
紐１と紐１を巻き取るドラム２は、ピンオンリールの構成要素である。
【００４２】
ドラム２の内部には、スプリング７が挿入されており、スプリング７の一端８は軸部材５に固定されており、また、スプリング７の他端９は、ドラム２の内部の壁面に固定されている。
【００４３】
以上のような構成により、ドラム２は、紐１を巻き取る方向、即ち、Ｂの方向に回転するように付勢されている。
【００４４】
本実施形態に係るロック装置１０は、第一の円盤３、第二の円盤４、ロック用片１３及びバネ１４を備えている。
【００４５】
第一の円盤３は、ピンオンリールを構成するドラム２の一側面に取り付けられている。
【００４６】
また、第一の円盤３の側面であって、ドラム２に取り付けられていない方の側面には、第二の円盤４が第一の円盤３と同心に取り付けられている。
【００４７】
ドラム２、第一の円盤３及び第二の円盤４は、接着により固定されており、ドラム２が回転すると、第一の円盤３及び第二の円盤４も回転するようになっている。
【００４８】
なお、ドラム２、第一の円盤３及び第二の円盤４には、軸部材５を挿入するための軸部材用穴６が設けられている。
【００４９】
ロック用片１３は、バネ１４により、第一の円盤３の外周面及び第二の円盤４の外周面に押し付けられる第一の方向Ｃに付勢されていおり、さらに、第一の部材３の側面に押し付けられる第二の方向Ｄにも付勢されている。
【００５０】
このようなバネ１４は、本実施形態においては、弾力性のある金属からなり、一部にコイル状部１５が形成されており、このコイル状部１５の弾力性により、Ｃ方向への付勢を達成し、また、このコイル状部１５からロック用片１３に至る部分１６をほぼ鉛直方向に延びるように形成し、部分１６を斜め上方に曲げることにより生じる弾力性により、Ｄ方向への付勢を達成するよう構成されている。
【００５１】
第一の円盤３には、第一の溝１１と、第二の溝１２と、斜面２１と、が形成されている。
【００５２】
第一の溝１１には、図２乃至図９に表されているように、第二の円盤４の外周面と一連の面となる側壁１７が形成されている。
【００５３】
すなわち、第一の溝１１は、第二の円盤４の外周面にまで至るように形成されており、かつ、ドラム２が紐１を引き出す方向に回転した場合に、その回転方向に対向する壁面１７は、上方から見た場合に、第二の円盤４の外周面の接線となるように形成されている。
【００５４】
このような側壁１７が形成されていることにより、バネ１４の弾性力により第二の円盤４の外周面及び第一の円盤３の側面に押し付けられているロック用片１３が、ドラム２が紐１を引き出す方向（Ａ方向）に回転し、ロック用片１３が第一の円盤３に設けられている第一の溝１１に達した場合に、第二の円盤４の外周面から、第一の溝１１に、第一の溝１１の壁面１７を伝って押し出される。
【００５５】
このように、第一の溝１１に押し出されたロック用片１３は、ドラム２が、さらにＡ方向に回転することにより、第一の溝１１の壁面１７を伝って、第一の円盤３の外周面にまで押し出される。
【００５６】
なお、第一の溝１１の壁面であって、壁面１７とは反対の壁面は、ドラム２が紐１を巻き取る方向、即ち、Ｂ方向に回転した場合に、ロック用片１３が第一の円盤３の側面に戻ることができるような傾斜が設けられている。
【００５７】
また、第一の円盤３には、第二の溝１２が設けられており、ドラム２のＡ方向への回転により、ロック用片１３が第二の溝１２の所にまで達した場合には、バネ１４のＣ方向への力により、ロック用片１３が第二の溝１２に押し込まれる。
【００５８】
第二の溝１２は、紐１を巻き取る方向へのドラム２の回転方向、即ち、Ｂの方向に対して鈍角を形成する角度で、第一の円盤３の外周面から第一の円盤３の内部に向かって形成されている。
【００５９】
このような角度で第二の溝１２が設けられていることにより、ロック用片１３が、第二の溝１２に入った場合には、ロック用片１３は、第二の溝１２の第二の壁面１９に引っかかり、ドラム２のＢ方向への回転をロックすることができる。
【００６０】
このように、ロック用片１３が、第二の溝１２の第二の壁面１９に引っかかることで、ドラム２のＢ方向への回転が阻止されることにより、ラインカッター等の道具が取り付けられている紐１が引き出された状態を保つことができる。
【００６１】
なお、このような角度で、第二の溝１２を形成することにより、第二の溝１２の第一の壁面１８が、紐１を巻き取る方向Ｂに対して、鈍角を形成することとなり、紐１を強く引いた場合に、ロック用片１３が、第二の溝１２の第一の壁面１８にぶつかっても、容易に、第二の溝１２から出ることができ、ロック用片１３が、第一の円盤３の外周面に押し付けられたまま、ドラム２を回転させることができる。
【００６２】
そして、ロック用片１３が、第一の円盤３の外周面に押し付けられたまま、ドラム２が回転することにより、紐１を強く引いた場合に、紐１の引き出しを容易に行うことができる。
【００６３】
第一の円盤３には、第二の溝１２から第一の円盤３の側面に向かって斜面２１が形成されている。
【００６４】
このような斜面２１が形成されていることにより、ドラム２が、Ａ方向に回転した場合に、Ｄ方向に付勢されているロック用片１３が、斜面２１を伝って、第一の円盤３の側面に押し出される。
【００６５】
第一の円盤３の側面に押し出されたロック用片１３は、バネ１４によりＣ方向にも付勢されているので、第二の円盤４の外周面に押し付けられる。
【００６６】
以上のようにして、ロック用片１３は、ドラム２が紐１を引き出す方向、即ち、Ａ方向に回転した場合には、第二の円盤４の外周面及び第一の円盤３の側面に押し付けられている位置から、第一の溝１１、第一の円盤３の外周面、第二の溝１２及び斜面２１を伝って、再び、元の位置に戻ることとなる。
【００６７】
なお、上述したように、紐１を強く引っ張った場合には、ロック用片１３は、第二の円盤４の外周面及び第一の円盤３の側面に押し当てられた位置から、第一の溝１１を伝って、第一の円盤３の外周面に押し当てられた位置に押し出された後、第二の溝１２に押し込まれることなく、第一の円盤３の外周面に押し当てられた位置に留まることができる。
【００６８】
一方、第一の円盤３の斜面２１と第二の円盤４の外周面との間には、ロック用片１３が通ることのできる橋部２２が設けられているため、ドラム２が紐１を巻き取る方向、即ち、Ｂの方向に回転した場合には、ロック用片１３は、第二の円盤４の外周面及び第一の円盤３の側面に押し当てられた位置のまま、ドラム２は回転することとなる。
【００６９】
なお、ロック用片１３は、その中心軸の周りに回転可能であるようにバネ１４の先端に取り付けることもできる。
【００７０】
ロック用片１３を回転可能にすることにより、ロック用片１３は第一の円盤３及び第二の円盤４の外周面に対して回転しながら接触することとなり、ロック用片１３が回転しない場合と比較して、接触抵抗を減らすことができる。
【００７１】
以上述べたドラム２の回転に伴うロック用片１３の位置関係は、図２乃至図９に表されている。
【００７２】
図２に表されているように、ロック用片１３は、バネ１４により、第一の円盤３の側面及び第二の円盤４の外周面に押し付けられている。
【００７３】
この位置から、ドラム２が、紐１を引き出す方向、即ち、Ａ方向に回転し、ロック用片１３の所に第一の溝１１が達した場合には、図３に表されているように、ロック用片１３は、第一の溝１１に押し込まれる。
【００７４】
さらに、ドラム２がＡ方向に回転することにより、図４に表されているように、ロック用片１３は、第一の溝１１の壁面１７を伝って、第一の円盤３の外周面に押し出される。
【００７５】
そして、ドラム２がＡ方向に回転し、ロック用片１３の所に第二の溝１２が達した場合には、図５に表されているように、ロック用片１３は、第二の溝１２に押し込まれる。
【００７６】
ここで、ロック用片１３は、第二の溝１２の第二の壁面１９に引っかかり、ドラム２が紐１を巻き取る方向、即ち、Ｂ方向へのドラム２の回転が阻止される。
【００７７】
なお、ロック用片１３が、図４の位置にある場合において、紐１を強く引っ張ったときには、図６に表されているように、ロック用片１３は、第二の溝１２に押し込まれずに、第一の円盤３の外周面に留まることとなる。
【００７８】
このようにロック用片１３が第一の円盤３の外周面に留まっているときでも、紐１を引っ張る力を弱めることにより、ロック用片１３は、第二の溝１２に押し込まれ、以下に述べるように、ロック用片１３は、図２で示された位置に戻ることとなる。
【００７９】
図５で表されているように、ロック用片１３が第二の溝１２に押し込まれている場合において、さらにドラム２がＡ方向に回転することにより、図７に表されているように、ロック用片１３は、斜面２１を伝って、第一の円盤３の側面に押し出される。
【００８０】
ここで、ロック用片１３は、バネ１４のＣ方向への弾性力により、図８に表されているように、ロック用片１３は、第二の円盤４の外周面及び第一の円盤３の側面に押し当てられることとなり、これは、図２に表された状態と同様の状態である。
【００８１】
なお、図２又は図８に表されている位置にロック用片１３がある場合において、ドラム２が紐１を巻き取る方向、即ち、Ｂ方向に回転したときには、図９に表されているように、ロック用片１３は、斜面２１と第二の円盤４の間に設けられた橋部２２を通るので、第二の溝１２の壁面１９に引っかかることなく、紐１を巻き取ることができる。
【００８２】
図６に表されているように、ロック用片１３が第一の円盤３の外周面にある場合でも、第二の溝１２及び斜面２１を通して、図８又は図２の位置にロック用片１３を戻してやることにより、スムーズに紐１を巻き取ることができる。
【００８３】
図１０は、本願発明の第二の実施形態に係るロック装置２０の上方斜視図である。図１１は、本願発明の第二の実施形態に係るロック装置２０の上面図である。
【００８４】
本実施形態は、第一の実施形態に係るロック装置１０の第一の円盤３に、第二の溝１２及び斜面２１を二つずつ設けている。
【００８５】
その他の構成については、本実施形態は、第一の実施形態と同様の構成となっている。
【００８６】
このような構成を採用することにより、紐１を強く引っ張り、ロック用片１３が、第一の円盤３の外周面にある場合であっても、一度通過した第二の溝１２のあるところにまで紐１をゆるめて、ドラム２を戻すことなく、ドラム２の回転にロックをかけることができるようになる。
【００８７】
図１２は、本願発明の第三の実施形態に係るロック装置３０の上方斜視図である。図１３は、本願発明の第三の実施形態に係るロック装置３０の上面図である。
【００８８】
本実施形態は、第一の実施形態に係るロック装置１０の第一の円盤３に、第一の溝１１、第二の溝１２及び斜面２１を一組として、この組を二組設けている。
【００８９】
その他の構成については、本実施形態は、第一の実施形態と同様の構成となっている。
【００９０】
このように、本実施形態においては、第一の円盤３に第一の溝１１、第二の溝１２及び斜面２１の組が二組設けられているため、第一の実施形態と比べて、より細かくロックをかけることができる。
【００９１】
図１４は、本願発明の第四の実施形態に係るロック装置付きピンオンリール４０の縦断面図である。
【００９２】
本実施形態においては、上述の第一の実施形態に係るロック装置１０をピンオンリール４０に取り付けたものである。
【００９３】
即ち、本実施形態においては、ドラム２、第一の円盤３及び第二の円盤４に設けられた軸部材用穴６に軸部材５を通し、軸部材５の両端を外部ケース２３に固定している。
【００９４】
また、本実施形態では、バネ１４の一端を外部ケース２３に固定している。
【００９５】
紐１の一端には、ラインカッター等の道具を取り付けるクリップ部２４が設けられている。
【００９６】
以上のように、本実施形態を構成したので、クリップ部２４にラインカッター等の道具を取り付け、該道具を引っ張り、クリップ部２４に取り付けられた紐を引き出した際に、本実施形態に設けられたロック装置１０により、紐１を巻き取る方向、即ち、Ｂ方向へのドラム２の回転がロックされ、紐１を引き出した状態で、道具を使用することができるようになる。
【００９７】
【発明の効果】
本願発明を以上のように構成したので、糸を巻き取る方向に付勢されているドラムの回転をロックすることができる。
【００９８】
また、このようなロック装置をピンオンリールに取り付けることにより、ピンオンリールに巻き取られている紐を引き出した状態で、ピンオンリールのクリップ部に取り付けられている道具を使用することができるようになる。
【図面の簡単な説明】
【図１】第一の実施形態に係るロック装置１０の上方斜視図。
【図２】第一の実施形態に係るロック装置１０の一連の動作を示す上方からみた平面図。
【図３】第一の実施形態に係るロック装置１０の一連の動作を示す上方からみた平面図。
【図４】第一の実施形態に係るロック装置１０の一連の動作を示す上方からみた平面図。
【図５】第一の実施形態に係るロック装置１０の一連の動作を示す上方からみた平面図。
【図６】第一の実施形態に係るロック装置１０の一連の動作を示す上方からみた平面図。
【図７】第一の実施形態に係るロック装置１０の一連の動作を示す上方からみた平面図。
【図８】第一の実施形態に係るロック装置１０の一連の動作を示す上方からみた平面図。
【図９】第一の実施形態に係るロック装置１０の一連の動作を示す上方からみた平面図。
【図１０】第二の実施形態に係るロック装置２０の上方斜視図。
【図１１】第二の実施形態に係るロック装置２０の上面図。
【図１２】第三の実施形態に係るロック装置３０の上方斜視図。
【図１３】第三の実施形態に係るロック装置３０の上面図。
【図１４】第四の実施形態に係るロック装置付きピンオンリール４０の縦断面図。
【符号の説明】
１  紐
２  ドラム
３  第一の円盤
４  第二の円盤
５  軸部材
６  軸部材用穴
７  スプリング
１０  第一の実施形態に係るロック装置
１１  第一の溝
１２  第二の溝
１３  ロック用片
１４  バネ
２０  第二の実施形態に係るロック装置
２１  斜面
２２  橋部
２３  外部ケース
２４  クリップ部
３０  第三の実施形態に係るロック装置
４０  第四の実施形態に係るピンオンリール
【図１】
0003609362.tif 000002
【図２】
0003609362.tif 000003
【図３】
0003609362.tif 000004
【図４】
0003609362.tif 000005
【図５】
0003609362.tif 000006
【図６】
0003609362.tif 000007
【図７】
0003609362.tif 000008
【図８】
0003609362.tif 000009
【図９】
0003609362.tif 000010
【図１０】
0003609362.tif 000011
【図１１】
0003609362.tif 000012
【図１２】
0003609362.tif 000013
【図１３】
0003609362.tif 000014
【図１４】
0003609362.tif 000015